(57)【要約】【課題】ヒータを設けているか否か判定する。【解決手段】室外空気の温度を検出する外気温度センサ（99）を設けている。加湿運転時において、外気温度センサ（99）の検出温度が所定温度より低いと、外気温度センサ（99）による温度検出前の室外空気を加熱するヒータ（1a）を駆動するための駆動信号を出力する。駆動信号を出力した後、所定時間が経過すると、外気温度センサ（99）の検出温度が所定温度より低いままであるか否かを判定し、外気温度センサ（99）の検出温度が上昇していないと、加湿運転を停止する。【選択図】図１０
2009109139.tif 000002
【特許請求の範囲】
【請求項１】
室外空気から水分を取り込み、取り込んだ水分を室内空気に供給する加湿運転を行う調湿装置であって、
上記室外空気の温度を検出する検出手段（99）と、
加湿運転時において、上記検出手段（99）の検出温度が所定温度より低いと、上記検出手段（99）による温度検出前の室外空気を加熱する加熱手段（1a）を駆動するための駆動信号を出力する加熱制御手段（61）と、
該加熱制御手段（61）が駆動信号を出力した後、所定時間が経過すると、上記検出手段（99）の検出温度が所定温度より低いままであるか否かを判定し、上記検出手段（99）の検出温度が上昇していないと、加湿運転を停止するための強制停止信号を出力する停止手段（62）とを備えている
ことを特徴とする調湿装置。
【請求項２】
請求項１において、
上記停止手段（62）の強制停止信号が出力された後、所定時間が経過すると上記停止手段（62）の強制停止信号の出力を停止させ、加湿運転を再開させて上記加熱制御手段（61）及び停止手段（62）の制御動作を再開させる再開手段（63）を備えている
ことを特徴とする調湿装置。
【発明の詳細な説明】
【技術分野】
【０００１】
本発明は、空気の湿度調節を行う調湿装置に関し、特に、加熱制御対策に係るものである。
【背景技術】
【０００２】
従来より、室外空気を除湿してから室内へ供給する運転を行う調湿装置が知られている。特許文献１には、表面に吸着剤が担持された吸着熱交換器を備えた調湿装置が開示されている。この調湿装置は、いわゆるバッチ式の動作を行う。
【０００３】
具体的に、特許文献１に開示された調湿装置には、２つの吸着熱交換器を備えた冷媒回路が設けられている。この冷媒回路は、第１の吸着熱交換器が凝縮器となって第２の吸着熱交換器が蒸発器となる第１動作と、第２の吸着熱交換器が凝縮器となって第１の吸着熱交換器が蒸発器となる第２動作とを、所定の時間間隔で交互に行う。蒸発器として動作する吸着熱交換器では、吸着剤に空気中の水分が吸着される。凝縮器として動作する吸着熱交換器では、水分が吸着剤から脱離して空気に付与される。
【０００４】
特許文献１に開示された調湿装置は、各吸着熱交換器を通過した空気の一方を室内へ供給して他方を室外へ排出する。除湿運転中の調湿装置では、第１及び第２の吸着熱交換器のうち蒸発器として動作する方を通過した室外空気が室内へ供給され、凝縮器として動作する方を通過した室内空気が室外へ排出される。また、加湿運転中の調湿装置では、第１及び第２の吸着熱交換器のうち蒸発器として動作する方を通過した室内空気が室外へ排出され、凝縮器として動作する方を通過した室外空気が室内へ供給される。
【特許文献１】特開２００６−０７８１０８号公報
【発明の開示】
【発明が解決しようとする課題】
【０００５】
上述したように、従来の調湿装置において、加湿運転時に低外気温度の際、露付きの発生の虞があるので、ヒータを取り付ける場合がある。その際、ヒータを取り付けているか否かの判定を行う必要がある。
【０００６】
しかしながら、上記調湿装置は、ヒータの取付判定について何らの対策も考慮されておらず、新たな判定対策が望まれていた。つまり、上記調湿装置においては、ヒータが取り付けられていないにも拘わらず、加湿運転を継続すると、露付きの発生が生ずる虞がある。
【０００７】
本発明は、斯かる点に鑑みてなされたものであり、加熱手段を設けているか否か判定する新たな制御対策を提供することを目的とする。
【課題を解決するための手段】
【０００８】
第１の発明は、室外空気から水分を取り込み、取り込んだ水分を室内空気に供給する加湿運転を行う調湿装置を対象としている。そして、第１の発明は、上記室外空気の温度を検出する検出手段（99）と、加湿運転時において、上記検出手段（99）の検出温度が所定温度より低いと、上記検出手段（99）による温度検出前の室外空気を加熱する加熱手段（1a）を駆動するための駆動信号を出力する加熱制御手段（61）と、該加熱制御手段（61）が駆動信号を出力した後、所定時間が経過すると、上記検出手段（99）の検出温度が所定温度より低いままであるか否かを判定し、上記検出手段（99）の検出温度が上昇していないと、加湿運転を停止するための強制停止信号を出力する停止手段（62）とを備えている。
【０００９】
上記第１の発明では、検出手段（99）が室外空気の温度を検出する一方、加湿運転時において、上記検出手段（99）の検出温度が所定温度より低いと、上記検出手段（99）による温度検出前の室外空気を加熱する加熱手段（1a）を駆動するための駆動信号を出力する。続いて、上記駆動信号を出力した後、所定時間が経過すると、上記検出手段（99）の検出温度が所定温度より低いままであるか否かを判定する。そして、上記検出手段（99）の検出温度が上昇していないと、加熱手段（1a）が設けられていないと判定し、加湿運転を停止させる。
【００１０】
第２の発明は、第１の発明において、上記停止手段（62）の強制停止信号が出力された後、所定時間が経過すると上記停止手段（62）の強制停止信号の出力を停止させ、加湿運転を再開させて上記加熱制御手段（61）及び停止手段（62）の制御動作を再開させる再開手段（63）を備えている。
【００１１】
上記第２の発明では、強制停止信号の出力後に、所定時間が経過すると加湿運転を再開させ、再度加熱手段（1a）が設けられているか否かを判定する。
【発明の効果】
【００１２】
以上のように、本発明によれば、加熱手段（1a）の駆動信号が出力された後に室外空気温度が上昇しない場合に加湿換気運転を強制停止するようにしたために、加熱手段（1a）が取り付けられていないにも拘わらず加湿換気運転を継続することを確実に防止することができる。この結果、露付きの発生を確実に防止することができる。
【００１３】
また、上記第２の発明によれば、所定時間ごとに加熱手段（1a）が取りつられているか否かを判定するようにしたために、誤判定を確実に防止することができる。
【発明を実施するための最良の形態】
【００１４】
以下、本発明の実施形態を図面に基づいて詳細に説明する。
【００１５】
本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００１６】
〈調湿装置の全体構成〉
調湿装置（10）について、図１、図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００１７】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）及び電動膨張弁（55）が接続されている。冷媒回路（50）の詳細は後述する。
【００１８】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００１９】
ケーシング（11）には、外気吸込口（24）と内気吸込口（23）と給気口（22）と排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２０】
ケーシング（11）の内部空間には、上流側仕切板（71）と下流側仕切板（72）と中央仕切板（73）と第１仕切板（74）と第２仕切板（75）とが設けられている。これらの仕切板（71〜75）は、何れもケーシング（11）の底板に立設され、ケーシング（11）の内部空間をケーシング（11）の底板から天板に亘って区画している。
【００２１】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００２２】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００２３】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００２４】
ケーシング（11）内において、上流側仕切板（71）と背面パネル部（13）の間の空間は、上下２つの空間に仕切られ、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００２５】
また、上記内気側通路（32）には、室内空気温度を検出する内気温度センサ（98）が設置され、外気側通路（34）は、室外空気温度を検出する検出手段である外気温度センサ（99）が設置されている。
【００２６】
ケーシング（11）内における上流側仕切板（71）と下流側仕切板（72）の間の空間は、中央仕切板（73）によって左右に区画され、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００２７】
各吸着熱交換器（51，52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51，52）は、その前面及び背面が上流側仕切板（71）及び下流側仕切板（72）と平行になる姿勢で、熱交換器室（37，38）内に立設されている。
【００２８】
ケーシング（11）の内部空間において、下流側仕切板（72）の前面に沿った空間は、上下に仕切られ、この上下に仕切られた空間のうち、上側の部分が給気側通路（31）を構成し、下側の部分が排気側通路（33）を構成している。
【００２９】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられている。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられている。
【００３０】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられている。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられている。
【００３１】
ケーシング（11）内において、給気側通路（31）及び排気側通路（33）と前面パネル部（12）との間の空間は、仕切板（77）によって左右に仕切られ、仕切板（77）の右側の空間が給気ファン室（36）を構成し、仕切板（77）の左側の空間が排気ファン室（35）を構成している。
【００３２】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００３３】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００３４】
ケーシング（11）内において、第１仕切板（74）と第１側面パネル部（14）の間の空間は、第１バイパス通路（81）を構成している。第１バイパス通路（81）の始端は、外気側通路（34）のみに連通し、内気側通路（32）からは遮断されている。第１バイパス通路（81）の終端は、仕切板（78）によって、給気側通路（31）、排気側通路（33）及び給気ファン室（36）から区画されている。仕切板（78）のうち給気ファン室（36）に臨む部分には、第１バイパス用ダンパ（83）が設けられている。
【００３５】
ケーシング（11）内において、第２仕切板（75）と第２側面パネル部（15）の間の空間は、第２バイパス通路（82）を構成している。第２バイパス通路（82）の始端は、内気側通路（32）のみに連通し、外気側通路（34）からは遮断されている。第２バイパス通路（82）の終端は、仕切板（79）によって、給気側通路（31）、排気側通路（33）及び排気ファン室（35）から区画されている。仕切板（79）のうち排気ファン室（35）に臨む部分には、第２バイパス用ダンパ（84）が設けられている。
【００３６】
なお、図２の右側面図及び左側面図では、第１バイパス通路（81）、第２バイパス通路（82）、第１バイパス用ダンパ（83）及び第２バイパス用ダンパ（84）の図示を省略している。
【００３７】
〈冷媒回路の構成〉
図３に示すように、冷媒回路（50）は、第１吸着熱交換器（51）、第２吸着熱交換器（52）、圧縮機（53）、四方切換弁（54）及び電動膨張弁（55）が設けられた閉回路で、調湿手段を構成している。この冷媒回路（50）は、充填された冷媒を循環させることによって、蒸気圧縮冷凍サイクルを行う。
【００３８】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００３９】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４０】
冷媒回路（50）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００４１】
また、冷媒回路（50）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００４２】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００４３】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、上記単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００４４】
〈除湿換気運転〉
除湿換気運転中の調湿装置（10）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【００４５】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００４６】
先ず、除湿換気運転の第１動作について説明する。図４に示すように、この第１動作中には、第１内気側ダンパ（41）、第２外気側ダンパ（44）、第２給気側ダンパ（46）及び第１排気側ダンパ（47）が開状態となり、第２内気側ダンパ（42）、第１外気側ダンパ（43）、第１給気側ダンパ（45）及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００４７】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００４８】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００４９】
次に、除湿換気運転の第２動作について説明する。図５に示すように、この第２動作中には、第２内気側ダンパ（42）、第１外気側ダンパ（43）、第１給気側ダンパ（45）及び第２排気側ダンパ（48）が開状態となり、第１内気側ダンパ（41）、第２外気側ダンパ（44）、第２給気側ダンパ（46）及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００５０】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００５１】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００５２】
〈加湿換気運転〉
加湿換気運転中の調湿装置（10）では、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【００５３】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００５４】
先ず、加湿換気運転の第１動作について説明する。図６に示すように、この第１動作中には、第２内気側ダンパ（42）、第１外気側ダンパ（43）、第１給気側ダンパ（45）及び第２排気側ダンパ（48）が開状態となり、第１内気側ダンパ（41）、第２外気側ダンパ（44）、第２給気側ダンパ（46）及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００５５】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００５６】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００５７】
次に、加湿換気運転の第２動作について説明する。図７に示すように、この第２動作中には、第１内気側ダンパ（41）、第２外気側ダンパ（44）、第２給気側ダンパ（46）及び第１排気側ダンパ（47）が開状態となり、第２内気側ダンパ（42）、第１外気側ダンパ（43）、第１給気側ダンパ（45）及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００５８】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００５９】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００６０】
〈単純換気運転〉
単純換気運転中における調湿装置（10）の動作について、図８を参照しながら説明する。
【００６１】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）及び第２排気側ダンパ（48）が閉状態となる。また、単純換気運転中において、冷媒回路（50）の圧縮機（53）は停止状態となる。
【００６２】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００６３】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００６４】
−ヒータ制御−
本実施形態の調湿装置は、図９に示すように、加熱手段であるヒータ（1a）を個別に取付けることができるように構成されている。このヒータ（1a）は、例えば、外気取込口（24）に接続される外気取込ダクト（図示省略）に設けられる。更に、上記ヒータ（1a）は、調湿装置の制御基板に接続されている。
【００６５】
そこで、上記調湿装置は、ヒータ（1a）に対する制御を行うように構成されている。つまり、本実施形態の調湿装置は、図３に示すように、コントローラ（60）を備えている。該コントローラ（60）は、上記低圧圧力センサ（92）等の各センサ信号が入力され、圧縮機などの容量を制御するように構成されている。そして、上記コントローラ（60）は、図１０に示すように、ヒータ（1a）の加熱制御手段（61）と停止手段（62）と再開手段（63）とを備えている。
【００６６】
上記加熱制御手段（61）は、加湿換気運転時において、上記外気温度センサの検出温度が所定温度より低いと、上記外気温度センサによる温度検出前の室外空気を加熱するヒータ（1a）を駆動するための駆動信号を出力する。つまり、外気温度が低いと、例えば、−５℃より低下すると、露付きの発生の虞があるので、上記加熱制御手段（61）は、ヒータ（1a）を駆動するようにしている。
【００６７】
上記停止手段（62）は、上記加熱制御手段（61）が駆動信号を出力した後、所定時間が経過すると、上記外気温度センサの検出温度が所定温度より低いままであるか否かを判定し、上記外気温度センサの検出温度が上昇していないと、加湿換気運転を停止するための強制停止信号を出力する。つまり、上記ヒータ（1a）をＯＮするための信号を出力したにも拘わらず、吸い込んだ室外空気の温度が上昇しない場合、ヒータ（1a）が取り付けられていないので、上記停止手段（62）は、加湿換気運転を停止するようにしている。
【００６８】
上記再開手段（63）は、上記停止手段（62）の強制停止信号が出力された後、所定時間が経過すると上記停止手段（62）の強制停止信号の出力を停止させ、加湿運転を再開させて上記加熱制御手段（61）及び停止手段（62）の制御動作を再開させる。つまり、上記ヒータ（1a）が取り付けられているにも拘わらず、強制停止信号を出力する場合もあり得るので、加湿換気運転を再開させて上記ヒータ（1a）が取り付けられているか否かを判定するようにしている。
【００６９】
−ヒータ制御動作−
次に、上記ヒータ制御動作について図１０の状態遷移図に基づいて説明する。
【００７０】
先ず、加湿換気運転を行うと、状態Ｔ１において、低外気保護制御をオフし、低外気強制停止フラグをオフし、低外気サンプリングタイマをリセットし、ヒータ（1a）をオフする。
【００７１】
この状態において、給気ファンをオンし、外気温度センサの検出温度Ｔ０が所定温度である低外気保護設定温度より低いか否かを判定する。そして、室外空気温度Ｔ０が所定温度より低い状態が２０秒継続すると、状態Ｔ１から状態Ｔ２に移り、低外気保護制御レベル１をオンする。つまり、上記加熱制御手段（61）は、ヒータ（1a）を駆動するための駆動信号を出力する。そして、上記ヒータ（1a）がオフされると状態Ｔ２から状態Ｔ１に戻る。
【００７２】
一方、上記状態Ｔ２において、給気ファンをオンし、外気温度センサの検出温度Ｔ０が所定温度である低外気保護設定温度より低いか否かを判定する。そして、室外空気温度Ｔ０が所定温度より低い状態が５分継続すると、状態Ｔ２から状態Ｔ３に移り、低外気保護制御レベル２をオンし、低外気強制停止フラグをオンし、低外気強制停止タイマをスタートさせ、低外気サンプリングタイマをリセットする。つまり、上記停止手段（62）は、ヒータ（1a）の駆動信号を出力したにも拘わらず、取り込んだ室外空気の温度が上昇しないので、ヒータ（1a）が取り付けられていないと判断し、加湿換気運転を強制停止する。
【００７３】
その後、上記低外気強制停止タイマが１時間をカウントすると、状態Ｔ３から状態Ｔ４に移り、低外気強制停止フラグをオフし、低外気強制停止タイマをリセットし、低外気サンプリングタイマをスタートさせる。つまり、上記再開手段（63）が加湿運転を再開させる。
【００７４】
つまり、上記低外気サンプリングタイマが２分以上をカウントすると、上記状態Ｔ４から状態Ｔ３に移り、この状態Ｔ３において、低外気強制停止フラグをオフしているので、上記状態Ｔ１に戻り、上述の動作が繰り返される。
【００７５】
尚、上記状態Ｔ４において、室外空気温度Ｔ０が所定温度以上の高い状態が１００秒継続すると、状態Ｔ１に戻り、上述の動作が繰り返される。
【００７６】
また、上記ヒータ（1a）が取り付けられている場合、上記加熱制御手段（61）の駆動信号によってヒータ（1a）がオンし、取り込む室外空気を加熱する。その後、加湿換気運転を停止すると、図１１に示すように、給気ファン及び排気ファンの残留運転が行われる。つまり、リモコンをオフした際（図１１Ａ参照）、１０個のダンパ（41〜48，83，84）のうち、第１バイパス用ダンパ（83）及び第２バイパス用ダンパ（84）を開放し、他のダンパ（41〜48）を閉鎖し、ヒータ（1a）をオフするものの、給気ファン及び排気ファンの駆動を継続する。その後、６０秒が経過すると、給気ファン及び排気ファンを停止する。（図１１Ｂ参照）、更にその後、１５秒が経過すると、第１バイパス用ダンパ（83）及び第２バイパス用ダンパ（84）を閉鎖し（図１１Ｃ参照）、停止制御を終了する（図１１Ｄ参照）。
【００７７】
−実施形態の効果−
以上のように、本実施形態によれば、ヒータ（1a）の駆動信号が出力された後に室外空気温度が上昇しない場合に加湿換気運転を強制停止するようにしたために、ヒータ（1a）が取り付けられていないにも拘わらず加湿換気運転を継続することを確実に防止することができる。この結果、露付きの発生を確実に防止することができる。
【００７８】
また、所定時間ごとにヒータ（1a）が取りつられているか否かを判定するようにしたために、誤判定を確実に防止することができる。
【００７９】
−実施形態の変形例１−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【００８０】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【００８１】
−実施形態の変形例３−
上記実施形態では、調湿装置（10）が次のように構成されていてもよい。
【００８２】
図１２に示すように、本変形例の調湿装置（10）は、冷媒回路（100）と２つの吸着素子（111，112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。各吸着素子（111，112）には多数の空気通路が形成され、この空気通路を通過する際に空気が吸着剤と接触する。
【００８３】
本変形例の調湿装置（10）は、除湿換気運転と、加湿換気運転と、単純換気運転とを選択的に行う。
【００８４】
除湿換気運転中や加湿還気運転中の調湿装置（10）は、第１動作と第２動作を所定の時間間隔で交互に繰り返し行う。除湿換気運転中の調湿装置（10）は、室外空気を第１空気として取り込み、室内空気を第２空気として取り込む。一方、加湿換気運転中の調湿装置（10）は、室内空気を第１空気として取り込み、室外空気を第２空気として取り込む。
【００８５】
先ず、除湿換気運転及び加湿還気運転の第１動作について、図１２(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【００８６】
次に、除湿換気運転及び加湿還気運転の第２動作について、図１２(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【００８７】
そして、除湿換気運転中の調湿装置（10）は、除湿された第１空気（室外空気）を室内へ供給し、吸着素子（111，112）から脱離した水分を第２空気（室内空気）と共に室外へ排出する。また、加湿換気運転中の調湿装置（10）は、加湿された第２空気（室外空気）を室内へ供給し、吸着素子（111，112）に水分を奪われた第１空気（室内空気）を室外へ排出する。
【００８８】
単純換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111，112）を通過後に室内へ供給され、室内空気は吸着素子（111，112）を通過後に室外へ排出される。単純換気運転中の調湿装置（10）において、室外空気や室内空気の流通経路の切り換えは行われない。
【００８９】
−実施形態の変形例４−
上記実施形態では、調湿装置（10）が次のように構成されていてもよい。
【００９０】
図１３に示すように、本変形例の調湿装置（10）は、本体ユニット（150）と熱源ユニット（165）とを備えている。
【００９１】
本体ユニット（150）の内部空間は、給気通路（151）と排気通路（152）とに区画されている。給気通路（151）は、その始端が外気吸込口（153）に連通し、その終端が給気口（154）に連通している。給気通路（151）には、その始端から終端へ向かって順に、利用側熱交換器（161）と、加湿エレメント（162）と、給気ファン（157）とが配置されている。排気通路（152）は、その始端が内気吸込口（155）に連通し、その終端が排気口（156）に連通している。排気通路（152）には、排気ファン（158）が配置されている。
【００９２】
熱源ユニット（165）は、一対の連絡配管（166）を介して利用側熱交換器（161）と接続されている。図示しないが、熱源ユニット（165）は、圧縮機や膨張弁などを備えている。この熱源ユニット（165）は、利用側熱交換器（161）と共に冷媒回路（167）を形成している。利用側熱交換器（161）は、空気を冷媒と熱交換させる空気熱交換器である。冷媒回路（167）は、利用側熱交換器（161）が蒸発器となる冷凍サイクル動作と、利用側熱交換器（161）が凝縮器となる冷凍サイクル動作とを選択的に行う。
【００９３】
図示しないが、加湿エレメント（162）では、水通路と空気通路とが透湿膜を挟んで形成されている。水通路では、外部から供給された水道水が流通する。空気通路では、給気通路（151）を流れる空気が流通する。透湿膜は、液体である水は通過させずに水蒸気のみを通過させる。
【００９４】
本変形例の調湿装置（10）は、除湿換気運転と、加湿換気運転と、単純換気運転とを選択的に行う。
【００９５】
除湿換気運転中の調湿装置（10）では、利用側熱交換器（161）が蒸発器となる冷凍サイクル動作を冷媒回路（167）が行うと共に、加湿エレメント（162）に対する給水が停止される。この運転中において、利用側熱交換器（161）における冷媒の蒸発温度は、室外空気の露点温度よりも低い値に設定される。給気通路（151）へ流入した室外空気は、利用側熱交換器（161）を通過する際に冷却され、室外空気中の水分が凝縮してドレン水となる。利用側熱交換器（161）を通過した室外空気は、加湿エレメント（162）を通過した後に給気口（154）を通って室内へ供給される。利用側熱交換器（161）で生じたドレン水は、室外へ排出される。排気通路（152）へ流入した室内空気は、排気口（156）を通って室外へ排出される。
【００９６】
加湿換気運転中の調湿装置（10）では、利用側熱交換器（161）が凝縮器となる冷凍サイクル動作を冷媒回路（167）が行うと共に、加湿エレメント（162）に対する給水が行われる。給気通路（151）へ流入した室外空気は、利用側熱交換器（161）を通過する際に加熱された後に加湿エレメント（162）へ送られる。加湿エレメント（162）では、透湿膜を通過した水蒸気が空気に付与される。加湿エレメント（162）で加湿された空気は、給気口（154）を通って室内へ供給される。排気通路（152）へ流入した室内空気は、排気口（156）を通って室外へ排出される。
【００９７】
単純換気運転中の調湿装置（10）では、冷媒回路（167）の運転と加湿エレメント（162）に対する給水の両方が停止され、給気ファン（157）及び排気ファン（158）の運転のみが行われる。給気通路（151）へ流入した室外空気は、利用側熱交換器（161）と加湿エレメント（162）を順に通過し、その後に給気口（154）を通って室内へ供給される。排気通路（152）へ流入した室内空気は、排気口（156）を通って室外へ排出される。
【００９８】
−その他の実施形態−
本発明は、上記実施形態について、以下のような構成としてもよい。
【００９９】
上記実施形態において、加熱手段としてヒータ（1a）を設けたが、本発明では、ヒータ（1a）に限られるものではない。
【０１００】
尚、以上の実施形態は、本質的に好ましい例示であって、本発明、その適用物、あるいはその用途の範囲を制限することを意図するものではない。
【産業上の利用可能性】
【０１０１】
以上説明したように、本発明は、室内の湿度調節を行うための調湿装置について有用である。
【図面の簡単な説明】
【０１０２】
【図１】図１は、前面側から見た調湿装置をケーシングの一部および電装品箱を省略して示す斜視図である。
【図２】図２は、調湿装置の一部を省略して示す概略の平面図、右側面図及び左側面図である。
【図３】図３は、冷媒回路の構成を示す配管系統図であって、(Ａ)は第１動作中の動作を示すものであり、(Ｂ)は第２動作中の動作を示すものである。
【図４】図４は、除湿換気運転の第１動作における空気の流れを示す調湿装置の概略の平面図、右側面図及び左側面図である。
【図５】図５は、除湿換気運転の第２動作における空気の流れを示す調湿装置の概略の平面図、右側面図及び左側面図である。
【図６】図６は、加湿換気運転の第１動作における空気の流れを示す調湿装置の概略の平面図、右側面図及び左側面図である。
【図７】図７は、加湿換気運転の第２動作における空気の流れを示す調湿装置の概略の平面図、右側面図及び左側面図である。
【図８】図８は、単純換気運転における空気の流れを示す調湿装置の概略の平面図、右側面図及び左側面図である。
【図９】図９は、ヒータを取り付けた調湿装置の概略図である。
【図１０】図１０は、ヒータの制御動作を示す状態遷移図である。
【図１１】図１１は、ヒータを取り付けた場合の運転終了動作を示すタイミング図である。
【図１２】図１２は、実施形態の変形例３の調湿装置を示す概略構成図であって、(Ａ)は第１動作中の動作を示すものであり、(Ｂ)は第２動作中の動作を示すものである。
【図１３】図１３は、実施形態の変形例４の調湿装置を示す概略構成図である。
【符号の説明】
【０１０３】
10        調湿装置
11        ケーシング
1a        ヒータ（加熱手段）
50        冷媒回路
51        第１吸着熱交換器
52        第２吸着熱交換器
60        コントローラ
61        加熱制御手段
62        停止手段
63        再開手段
【図１】
2009109139.tif 000003
【図２】
2009109139.tif 000004
【図３】
2009109139.tif 000005
【図４】
2009109139.tif 000006
【図５】
2009109139.tif 000007
【図６】
2009109139.tif 000008
【図７】
2009109139.tif 000009
【図８】
2009109139.tif 000010
【図９】
2009109139.tif 000011
【図１０】
2009109139.tif 000012
【図１１】
2009109139.tif 000013
【図１２】
2009109139.tif 000014
【図１３】
2009109139.tif 000015